(57)【要約】【課題】  簡単な所為で緊急動作モードに切換えられ、緊急動作モードでメールを継続的に送信し続ける携帯通信装置を提供する。【解決手段】  携帯通信装置１００の筐体１０１に衝撃センサー１０５を装備し、携帯通信装置１００を強く握ったり、落下させたり、投げたり等して筐体１０１に所定以上の衝撃を与えることで、携帯通信装置１００を緊急動作モードに切換えて、メモリ１０８に予め保存されたアドレスに、メモリ１０８に予め保存されたメッセージ文のメールを継続的に連続して送信するように構成した。また、ＧＰＳによって位置情報を取得して、メッセージに組み込んで送信するように構成した。  【選択図】図１
2006279837.tif 000002
【特許請求の範囲】
【請求項１】
予め所定のアドレスデータ及びメッセージデータが蓄積されたメモリと、
メールを発信することが可能な発信手段と、
外部物体との接触によって受ける衝撃を検出するセンサーと、
このセンサーによって検出される衝撃が所定閾値以上であるか否かを判別し、閾値以上であると判定された場合に、前記メモリから前記アドレスデータとメッセージデータを読み出して、当該アドレスに前記メッセージデータに基づくメッセージ文のメールを送信する制御手段と、
を具備したことを特徴とする携帯通信装置。
【請求項２】
前記制御手段は、前記メールを所定時間間隔で継続的に送信するものであることを特徴とする請求項１に記載の携帯通信装置。
【請求項３】
さらに、ＧＰＳ機能を備え、前記制御部は当該ＧＰＳから提供される位置情報を前記メッセージ文に付加してメール文を構築してメールを送信するものであることを特徴とする請求項１または２に記載の携帯通信装置。
【請求項４】
さらに筐体を備え、前記センサーは、この筐体を介して加えられる圧力の変移を検出するものであることを特徴とする請求項１乃至３のいずれかに記載の携帯通信装置。
【請求項５】
予め所定のアドレスデータ及びメッセージデータが蓄積されたメモリと、
メールを発信することが可能な発信手段と、
外部測定手段からの人体の生物学的要素を測定した測定結果を受ける入力手段と、
この入力手段に入力された前記人体の生物学的要素の測定結果を、予め設定された閾値と比較し、当該測定結果が前記閾値を越えたと判定された場合に、前記メモリから前記アドレスデータとメッセージデータを読み出して、当該アドレスに前記メッセージデータに基づくメッセージ文のメールを送信する制御手段と、
を具備したことを特徴とする携帯通信装置。
【請求項６】
前記制御手段は、前記メールを所定時間間隔で継続的に送信するものであることを特徴とする請求項５に記載の携帯通信装置。
【請求項７】
送受話手段と、所定のデータが保存されたメモリと、所定回数以上コールされた際に起動される応答手段と、位置情報を出力するＧＰＳ手段と、メール送信手段と、メモリ手段を備えた携帯通信器と、
この携帯電話に対して発呼して前記応答手段を駆動させ、前記ＧＰＳ手段によって得られる位置情報を前記メール送信手段でメールとして送信させてこれを受ける制御手段を備えた電話器と、
によって構成されることを特徴とする携帯通信システム。
【請求項８】
送受話手段と、所定のデータが保存されたメモリと、所定回数以上コールされた際に起動される応答手段と、メール送信手段と、メモリ手段と、メモリ制御手段とを備えた携帯通信器と、
この携帯電話に対して発呼して前記応答手段を駆動させ、前記メモリ制御手段によって前記メモリ手段に記憶されたデータを削除させる制御手段を備えた電話器と、
を具備したことを特徴とする携帯通信システム。
【請求項９】
送受話手段と、所定のデータが保存されたメモリと、所定回数以上コールされた際に起動される応答手段と、位置情報を出力するＧＰＳ手段と、メール送信手段と、メモリ手段と、メモリ制御手段を備えた携帯通信器と、
この携帯電話に対して発呼して前記応答手段を駆動させ、前記ＧＰＳ手段によって得られる位置情報を前記メール送信手段でメールとして送信されてこれを受けると共に、前記メモリ制御手段によって前記メモリ手段に記憶されたデータを削除させる制御手段とを備えた電話器と、
を具備したことを特徴とする携帯通信システム。
【請求項１０】
前記携帯通信器は、前記電話器との応答により、前記メモリの内容を削除させる場合には、暗証番号による認証処理を実行するものであることを特徴とする請求項８または９に記載の携帯通信システム。
【発明の詳細な説明】
【技術分野】
【０００１】
この発明は、携帯電話等の携帯通信装置に関し、特に携帯通信装置を所持している者が何らかの不測の事態に陥ってしまったり、あるいは携帯通信装置を紛失したりした等の特異な状況下にある場合に、簡単にかつ確実にその状況を特定の相手に通知したり、あるいは位置情報を通知したりすることができるようにした携帯通信装置及び携帯通信システムに関する。
【背景技術】
【０００２】
現在、携帯電話は広く普及しており、その使用目的も多様化してきている。例えば、防犯を目的として親が自分の子供に携帯電話を持たせるということも珍しくなくなってきている。
【０００３】
子供を対象とした防犯目的の使い方としては、例えば小学生程度の年齢の児童に携帯電話を持たせ、下校によって学校から離れたときとか、塾が終わって帰宅のために移動するときとかの、いわゆる行動の区切りの都度、親に連絡のための電話を掛けさせるという使い方がされる。
【０００４】
しかしながら、携帯電話の仕様がそのような使い方にしか対応していないと、極めて異常な状況下では、本来の防犯目的を全く達成することができなくなるということがある。例えば、その携帯電話を所持している児童自身あるいはその周囲が暴漢に襲われたりした状況下では、いちいち携帯電話を操作して親に電話を掛けるのは極めて困難であり、連絡が取れないということになって、目的を達成することができなくなる。
【０００５】
また、携帯電話の仕様も多様化してきていて、例えば、ＧＰＳ（Global Positioning System）機能を搭載した携帯電話も実用に供されている。そのような携帯電話においては、位置情報をその表示手段に表示させたり、あるいは位置情報をメールで特定の相手に送信したりすることができる。
【０００６】
そのようなＧＰＳ機能を防犯に利用することも考えられており、例えば携帯電話のＧＰＳ機能と、車等で利用されるナビゲーションシステムを組み合わせて、携帯電話から発せられる位置情報に基づいて、ナビゲーションシステムの地図上に、携帯電話（その所持者）の位置を表示して監視するというような使い方もされることがある。
【０００７】
このような、ＧＰＳ機能付き携帯電話の所持者が、暴漢に襲われたり交通事故に遭遇する等の不測の事態に陥った場合に、親あるいは警察等に位置情報付きのメッセージを発することができれば、危機的状況を回復するための一助になると思われるが、従来、携帯電話でメッセージを発しようとした場合、ボタンを決められた順に操作する意外に方法がなく、そのような特異な状況下ではその操作を行うことは実質的に不可能である。
【０００８】
すなわち、そのように監視システムに組み込まれているＧＰＳ機能付き携帯電話であっても、システムとして行うことは携帯電話の位置を監視するということに限られてしまって、その所持者に不測の事態が発生したことは、所持者本人から連絡がない限り解らない。よって、前述のＧＰＳ機能を持たない携帯電話と同じような問題を抱えている。
【０００９】
さらにまた、携帯電話を紛失してしまった場合、それを捜す際に、ＧＰＳによる位置情報を利用できれば、簡単に捜せるようになると思われるが、折角ＧＰＳ機能を搭載していても、従来それを活用する手立てがなかった。
【００１０】
さらに携帯電話を紛失した場合、その内部メモリに保存されている電話帳等のデータの内容を他人に見られてしまったり、あるいはデータそのものを盗まれてしまったりする可能性があり、個人情報が外部に漏れてしまう恐れがある。
【００１１】
そこで、従来、例えば特許文献１に示すように、携帯通信端末に加わる衝撃を検出して、異常事態であると認識した場合に、自動的に予め設定された電話番号へ発呼するようにした提案が開示されている。
【００１２】
しかしながら、この特許文献１に開示された技術は、異常事態であると判定するための衝撃の種類が限定されていて、異常判定が適切に行われない虞がある。また、この特許文献１は、異常事態になったときに、予め設定された電話番号へ発呼するものであり、相手がその番号の電話で話中であったり、あるいは留守であったりした場合に、目的が達成されないという問題を有している。
【００１３】
また、特許文献２には、携帯電話端末において、身体の状態の急激な変化を感知した際に、その身体の状態を、ＧＰＳによって得た携帯電話端末の位置情報と共に、予め登録しておいた連絡先へメッセージとして送るようにした提案が開示されている。
【００１４】
この特許文献２では、身体の状態が急激に変化した場合に、身体の状態を位置情報と共に、メッセージとして送るものであり、暴漢等の外的な要因による異常事態には適応することができない。
【００１５】
さらにまた、特許文献３には、携帯電話機の紛失者からの暗証番号に基づくバックアップ要求により、保守サービスセンターが紛失した携帯電話のメモリ内容を一旦サーバーに吸い上げてから消去し、紛失した携帯電話が戻ってきたら、吸い上げたデータを、再び携帯電話機のメモリに書き込むようにした構成が開示されている。
【００１６】
この特許文献３の提案では、紛失した携帯電話の位置が不明であるため、広い範囲で携帯電話を捜す必要があり、捜し出すには、相当の時間を費やす必要がある。さらに、携帯電話の現在位置が不明であるため、盗難にあったのか、あるいは単に置いてある場所を忘れてしまったのか判断することが困難であり、全ての場合に可及的速やかにデータのセーブ及び消去を実行する必要があり、ときとして無駄な処理を実行することになり、好ましくない。
【特許文献１】特開２００２−１５２３３７号公報
【特許文献２】特開平１１−８８５４６号公報
【特許文献３】特開２０００−２７０３７６号公報
【発明の開示】
【発明が解決しようとする課題】
【００１７】
以上説明したように、従来、携帯通信装置の所持者が不測の事態に陥ったり、携帯通信装置を紛失してしまった等の場合に、より適切に対応できるように改良された装置の実現が要望されている。
【００１８】
本発明は以上の点に鑑みてなされたものであり、携帯通信装置に不測の事態に対応する緊急動作モードを設け、この緊急動作モードへの切換を多様な条件判断の下で簡単にかつ確実に実行でき、さらに緊急動作モードでの緊急連絡がより適切な内容でかつ確実に受信者に届くようにした携帯通信装置及び携帯通信システムを提供することを目的とする。
【課題を解決するための手段】
【００１９】
この発明に係わる携帯通信装置は、予め所定のアドレスデータ及びメッセージデータが蓄積されたメモリと、メールを発信することが可能な発信手段と、外部物体との接触によって受ける衝撃を検出するセンサーと、このセンサーによって検出される衝撃が所定閾値以上であるか否かを判別し、閾値以上であると判定された場合に、前記メモリから前記アドレスデータとメッセージデータを読み出して、当該アドレスに前記メッセージデータに基づくメッセージ文のメールを送信する制御手段と、を具備したことを特徴とする。
【００２０】
この発明に係わる携帯通信装置は、予め所定のアドレスデータ及びメッセージデータが蓄積されたメモリと、メールを発信することが可能な発信手段と、外部測定手段からの人体の生物学的要素を測定した測定結果を受ける入力手段と、この入力手段に入力された前記人体の生物学的要素の測定結果を、予め設定された閾値と比較し、当該測定結果が前記閾値を越えたと判定された場合に、前記メモリから前記アドレスデータとメッセージデータを読み出して、当該アドレスに前記メッセージデータに基づくメッセージ文のメールを送信する制御手段と、を具備したことを特徴とする。
【００２１】
また、この発明に係わる携帯通信システムは、送受話手段と、所定のデータが保存されたメモリと、所定回数以上コールされた際に起動される応答手段と、位置情報を出力するＧＰＳ手段と、メール送信手段と、メモリ手段を備えた携帯通信器と；この携帯電話に対して発呼して前記応答手段を駆動させ、前記ＧＰＳ手段によって得られる位置情報を前記メール送信手段でメールとして送信させてこれを受ける制御手段を備えた電話器と；によって構成されることを特徴とする。
【００２２】
また、この発明に係わる携帯通信システムは、送受話手段と、所定のデータが保存されたメモリと、所定回数以上コールされた際に起動される応答手段と、メール送信手段と、メモリ手段と、メモリ制御手段とを備えた携帯通信器と；この携帯電話に対して発呼して前記応答手段を駆動させ、前記メモリ制御手段によって前記メモリ手段に記憶されたデータを削除させる制御手段を備えた電話器と；を具備したことを特徴とする。
【００２３】
また、この発明に係わる携帯通信システムは、送受話手段と、所定のデータが保存されたメモリと、所定回数以上コールされた際に起動される応答手段と、位置情報を出力するＧＰＳ手段と、メール送信手段と、メモリ手段と、メモリ制御手段を備えた携帯通信器と；この携帯電話に対して発呼して前記応答手段を駆動させ、前記ＧＰＳ手段によって得られる位置情報を前記メール送信手段でメールとして送信されてこれを受けると共に、前記メモリ制御手段によって前記メモリ手段に記憶されたデータを削除させる制御手段とを備えた電話器と；を具備したことを特徴とする。
【発明の効果】
【００２４】
本発明によれば、携帯通信装置を所持している者が、不測の事態に陥った際に、通常のボタン操作ではない簡単な操作によって、所定の相手に適切な内容で確実に緊急連絡を行うことができものである。
【００２５】
さらに、携帯通信装置を紛失した場合に、その携帯通信装置に搭載されたＧＰＳで得た位置情報によって、その場所を特定して紛失した携帯通信装置を容易に捜し出せるようになる。また、位置情報から、現在の状況が推測できるため、適切な対応を速やかに行うことができるようになるものである。
【発明を実施するための最良の形態】
【００２６】
以下、この発明の実施の形態について、図面を参照して詳細に説明する。図１は、この実施の形態の携帯通信装置１００の回路ブロックを示し、さらに構造的外観を概略的に示している。
【００２７】
携帯通信装置１００は、動作モードとして外部に対して予め設定されたメッセージを発することのない通常動作モードと、予め設定された特定の相手に自動的に予め設定されたメッセージを発し続ける緊急動作モードとを有し、その動作モードの切換を、携帯通信装置１００本体に対して与えられる衝撃等の要素を検出して行うように構成されている。
【００２８】
携帯通信装置１００は、筐体１０１を有し、筐体１０１にアンテナ１０２が取り付けられ、ボタン等で構成される操作入力部１０３が配設され、さらに表示部１０４が設けられている。また、筐体１０１に対して所定の関係をもって、衝撃センサー１０５が設けられている。
【００２９】
アンテナ１０２は、外部に信号を発信するためのものであり、操作入力部１０３はユーザが、携帯通信装置１００の電源のオン／オフを切換えたりデータを入力する際等に操作するものである。また、表示部１０４はユーザがデータを入力する際に、その作業を、入力内容を確認しつつ行えるようにするため、あるいは入力したデータを後で確認したり変更したりする場合に、データの内容を表示するために使用される。
【００３０】
衝撃センサー１０５は、衝撃度判別部１０６に接続され、衝撃度判別部１０６に検出信号を出力する。衝撃センサー１０５は、各種の要素の変化を検出するように構成することが可能であり、圧力センサー、光センサーあるいは湿度センサーなどであり、それらを組み合わせて用いることも可能である。
【００３１】
圧力センサーとして構成した場合には、携帯通信装置１００の筐体１０１をユーザが強く握ったり、装置１００を適当な高さから落下させたり、適当な距離を投げたりした場合に、それによって受ける衝撃を感知して、電気信号として出力する。あるいは、水中に投下したことによる水圧によって受ける圧力を感知して出力する。
【００３２】
また、光センサーとして構成した場合には、携帯通信装置１００が暗い場所に位置した際に、それを検出して検出信号を出力する。さらに、湿度センサーとして構成した場合には、携帯通信装置１００が水中に落ちたり、高湿度の環境に置かれたりした際に、それを検出して検出信号を出力する。
【００３３】
筐体１０１内部には、携帯通信装置１００を統括的に制御する制御部１０７が設けられている。制御部１０７は、例えばＣＰＵ（Central Processing Unit）で構成されており、メモリ１０８に蓄積されたプログラムに基づいて、各種処理を行う。この目的のため、メモリ１０８は、各種処理を実行するためのプログラムが予め蓄積されたＲＯＭ（Read Only Memory）部と、処理を行う際のワークエリアとなるＲＡＭ（Random Access Memory）部と、ユーザが入力したデータ等を蓄積するための不揮発性メモリ部を有する。
【００３４】
衝撃度判別部１０６は、予めメモリ１０８に蓄えられていて制御部１０７を介して供給される閾値と、衝撃センサー１０５の検出結果とを比較して比較結果を制御部１０７に送出する。制御部１０７は、衝撃度判別部１０６の判別結果に基づいて、携帯通信装置１００を、通常動作モードから緊急動作モードに切換えるかあるいは、通常動作モードを維持させるように制御するが、詳細は後述する。
【００３５】
さらに携帯通信装置１００は、ＧＰＳ部１０９を備えており、位置情報を取得して制御部１０７に出力する。
【００３６】
さらに発信部１１０が設けられており、制御部１０７による制御の下、緊急動作モードになった際に、予めメモリ１０８に保存された宛先に、同じくメモリ１０８に予め保存されたメッセージに基づいて、メールとして構築された文書をアンテナ１０２を介して連続的に送信するように動作する。
【００３７】
また、携帯通信装置１００は、その全体の動作電力を供給するためのバッテリ１１１が設けられており、電源制御部１１２を介して装置１００内の各回路部分に動作電力を供給している。なお、制御部１０７には、常時電力が供給されている。
【００３８】
操作入力部１０３を操作することによって制御部１０７に信号を送り、制御部１０７が電源制御部１１２を制御することで、携帯通信装置１００の電源をオンに切換えることが可能である。
【００３９】
さらに、補助バッテリ１１３が設けられており、電源制御部１１２と接続されている。電源制御部１１２は、制御部１０７によって制御されて、例えば装置１００の電源がオフになっていた場合に、緊急動作モードに切換えられると補助バッテリ１１３の動作電力をＧＰＳ部１０９他に供給するように切換える。あるいは、緊急動作モードに切換わった後に、操作入力部１０３の操作で電源がオフに切換えられた際に、補助バッテリ１１３に切換えられる。
【００４０】
携帯通信装置１００は、以上のように構成されており、次にその動作を説明する。なお、以下の説明では、衝撃センサー１０４が圧力センサーで構成されているものとして述べる。
【００４１】
まず、ユーザは、操作入力部１０２を駆使して、装置１００の電源をオンにして、緊急動作モード時にメッセージを発信する相手の番号あるいはメールアドレスを、表示部１０４で内容を確認しながら入力する。さらに、緊急動作モード時に、発信するメッセージを同様に表示部１０４で内容を確認しながら入力する。入力したデータは、メモリ１０８の不揮発性メモリ部に記憶される。
【００４２】
そのようにデータが記憶された携帯通信装置１００を所持した所持者が、その筐体１０１を強く握ったり、あるいは、落下させたり、投げたりした場合、衝撃センサー１０５はその際の衝撃の大きさに基づき検出信号を出力する。
【００４３】
衝撃センサー１０５の出力が、衝撃度判別部１０６において、メモリ１０８から読み出された閾値データと比較され、例えば閾値より大きい場合に、制御部１０７へ緊急動作モードに切換えるための信号を出力する。制御部１０７は、それを受けて携帯通信装置１００の動作を緊急動作モードに切換える。
【００４４】
緊急動作モードでは、制御部１０７は、メモリ１０８からメッセージを発信する相手のメールアドレスデータを読み出すと共に、メモリ１０８からメッセージのデータを読み出してメール文書を構築し、メモリ１０８から読み出されたメールアドレスに、発信部１１０を介して送信する。
【００４５】
あるいはまた、制御部１０７は、メモリ１０８から読み出されたメッセージデータに、ＧＰＳ部１０９で取得した位置情報を結合させて、メール文書を構築して、当該メールアドレスに、発信部１１０を介して送信する。
【００４６】
この緊急動作モードにおけるメール送信は、所定時間間隔で継続的に実行されるものであり、操作入力部１０３を操作して、携帯通信装置１００の電源をオフしても、停止することなく継続される。
【００４７】
携帯通信装置１００の電源がオフに切換えられた場合には、制御部１０７は、補助バッテリ１１３から動作電力が供給されるように切換える。
【００４８】
なお、携帯通信装置１００の電源がオフである状態においても、衝撃センサー１０５が所定以上の衝撃を受け取ったら、自動的に、緊急動作モードに切換えるように構成することは可能である。
【００４９】
以上のように、図１に示す実施の形態においては、携帯通信装置１００の筐体１０１をユーザが強く握ったり、あるいは落としたり、投げたり、水中に落としたりした場合に、自動的に、携帯通信装置１００を緊急動作モードに切換えて、予め登録されたアドレスに、位置情報付きの緊急メッセージを継続して送るように構成した。
【００５０】
それによれば、衝撃センサー１０５が多様な要素を監視して、所定以上の衝撃が検出された場合に、自動的に、緊急動作モードに切換わるようになるので、所持者が暴漢に襲われる等、極めて危険な状況に陥った場合でも、操作入力１０３を操作することなく、瞬時の所為によって、緊急メッセージを発信させることが可能である。
【００５１】
また、メッセージをメールで所定時間間隔で、継続的に発信するように動作するので、相手に確実にメッセージを届けることができるようになるものである。
【００５２】
また、ＧＰＳによる位置情報が発信されることにより、メッセージを受け取った者は、その携帯通信装置１００の位置から、所持者に何が起こっているかを有る程度推測することが可能であり、適切な対応策を採ることができるようになるものである。
【００５３】
しかしながら、ＧＰＳ部１０９で位置情報を取得するには、それなりの電力が必要であり、補助バッテリ１１３を装備したことの理由も、ＧＰＳ部１０９を確実に動作させることにあるもので、ＧＰＳ部１０９を装備せず、予め記憶させたメッセージのみを所定時間間隔で発信するように構成してもよいものである。その場合には、補助バッテリ１１３を省略することができる。
【００５４】
図２及び図３は、以上説明した実施の形態の動作を、改めて説明するために示すフローチャートであり、図２はＧＰＳによる位置情報をも発信するように構成した実施の形態の動作を説明するためのものであり、図３は、位置情報は発信しないようにした実施態様のものである。
【００５５】
図２において、ステップＳ２０１で開始され、ステップＳ２０２でＧＰＳからの位置情報を取得する。次いで、ステップＳ２０３で衝撃センサー１０５が、衝撃を検出したか否かの判定が行われ、衝撃を検出した場合、ステップＳ２０４で衝撃度を判別し、ステップＳ２０５で所定閾値を超えたか否かの判定がなされ、越えなかった場合には、ステップＳ２０２に戻る。
【００５６】
所定閾値を超えた場合には、ステップＳ２０６で、所定アドレスに位置情報付きのメッセージメールを定期的に継続して送信する。
【００５７】
次いで、ステップＳ２０７で携帯通信装置１００の電源がオフに切換えられたか否かの判定が行われ、オフされなかった場合には、そのままステップＳ２０６に戻り、オフされた場合には、ステップＳ２０８で少なくともＧＰＳの電源を補助バッテリに切換えて、ステップＳ２０６に戻る。
【００５８】
図３は、図２のフローチャートからＧＰＳ関連のステップＳ２０２，Ｓ２０７及びＳ２０８を削除したものであり、所定閾値以上の衝撃を検出した場合に、所定メッセージを所定アドレスに発信し続けるという処理を行うものである。
【００５９】
図４は、この発明の他の実施の形態の外観形状及び、回路ブロックを概略的に示すものである。この実施の形態における携帯通信システム４００は、携帯通信装置４０１と、人体の、例えば、脈拍、心拍数、体温、脳波等を測定する外部測定部４０２を備えている。
【００６０】
携帯通信装置４０１は、筐体４０３を有し、この筐体４０３にアンテナ４０４と、操作入力部４０５と、表示部４０６が設けられ、さらに外部測定部４０２で測定したデータを受けるための外部情報入力部４０７が設けられている。
【００６１】
外部情報入力部４０７で受けた測定データは、異常判別部４０８に送られ、ここで、予めメモリ４０９に蓄えられ、制御部４１０を介して読み出された閾値データと比較される。
【００６２】
比較の結果、測定データが閾値データより、例えば大きい場合には、緊急動作モードに切換えるための信号を制御部４１０に送り、制御部４１０が携帯通信装置４０１の動作を緊急動作モードに切換える。
【００６３】
緊急動作モードでは、予めメモリ４０９に蓄えられたメッセージを読み出して、測定データが閾値を超えた項目に異常が発見されたという内容のメール文を構築して、メモリ４０９に予め蓄えられたアドレスに、発信部４１１からアンテナ４０４を介して発信する。なお、図４において、４１２はバッテリであり、４１３は電源制御部４１３である。
【００６４】
以上の実施の形態によれば、外部測定部４０２により、身体の状況を複数の項目で測定して、測定結果を携帯通信装置４０１に取り込んで、予めメモリ４０９に蓄積された閾値と比較して、異常が検出された場合には、携帯通信装置４０１を緊急動作モードに切換えて、所定の測定項目に異常が発見された旨を知らせるためのメールを、予めメモリ４０８に記憶されたアドレスに送るように構成したので、通常の発信のための操作をすることなく、異常状況を、所定のメールアドレスに確実にかつ簡単に発信することが可能となるものである。
【００６５】
図５は、この発明に係わる携帯通信装置のさらに他の実施の形態を示すものであり、この実施の形態では、携帯通信装置５００は、通常の携帯電話と同様に相手と通話する機能の他、携帯通信装置５００を紛失した際に、その位置を特定でき、さらに必要に応じてメモリ内のデータを削除できるように構成したものである。
【００６６】
すなわち、図５に示す携帯通信装置５００は、筐体５０１とこの筐体５０１に設けられたアンテナ５０２と、操作入力部５０３と、表示部５０４と、マイク５０５及びスピーカ５０６を含む音声処理部５０７を備えている。
【００６７】
筐体５０１内には、携帯通信装置５００の動作を統括的に制御する制御部５０８と、メモリ５０９と、発信／受信部５１０と、留守電部５１１を備える。さらに、筐体５０１内には、ＧＰＳ部５１２と、バッテリ５１３と、補助バッテリ５１４と電源制御部５１５を備える。
【００６８】
音声処理部５０７は、いわゆる通話に供される部分であり、携帯通信装置５００の所持者が音声を入力するためのマイク５０５と、相手の音声を出力するスピーカ５０６を備える。なお、図ではマイク５０５とスピーカ５０６が隣接した状態で示されているが、当然ながら、実際には離れた位置に設けられる。
【００６９】
発信／受信部５１０は、携帯通信装置５００から音声情報あるいはメールを送り、かつ相手からの音声情報あるいはメールを受信する働きを受け持つ。
【００７０】
留守電部５１１は、いわゆる留守電サービスを実行するためのものであり、
携帯通信装置５００内に設けるものとして示されているが、当然ながら、外部に存在する留守電サービスセンターであってもよい。他の回路部は、実施的に図１に示す回路ブロックと同じ構成であり、説明は省略する。
【００７１】
以上のように構成された携帯通信装置５００に対して、予め留守電機能を設定し、かつ所定コール数以上の呼び出しを行った場合に、所定のメッセージを相手に送るように設定し、さらに暗証番号を登録しておく。
【００７２】
メッセージとしては、番号によって機能の選択を促すメッセージと、暗証番号の入力を促すメッセージと、選択された機能を確認のために復唱するメッセージと、暗証番号が正しく入力されたことを知らせるメッセージである。
【００７３】
以上のように構成され、携帯通信装置５００において、該形態通信装置５００を紛失した場合、まず、一般の電話器から携帯通信装置５００へのダイヤリングを行う。所定回数のコールが行われた後、留守電モードに切換わる。
【００７４】
それによって、メッセージが発信され、その内容に基づいて操作を行う、例えば機能として、ＧＰＳ位置情報通知と、メモリデータの消去とが設定されていた場合、数字入力によって目的の機能を選択する。ＧＰＳ位置情報通知が選択されたとすると、次に暗証番号の入力を要求するメッセージが発せられ、暗証番号を正しく入力すると、制御部５０８は、ＧＰＳ部５１２から位置情報を受け取って、これをメール文に変換するかあるいは音声合成で音声情報に変換して、発信受信部５１０を介してアンテナから送り出す。それによって、携帯通信装置５００の現在の位置を確認することができる。
【００７５】
さらに、選択した機能が、メモリデータの消去であった場合、暗証番号を正しく入力すると、改めてメモリデータを消去していいかのメッセージを送り、承諾する旨の応答を返すことで、制御部５０８がメモリ５０９に蓄積されているデータのうち、ユーザが入力したデータを削除する。
【００７６】
図６は、図５に示す実施の形態の動作を改めて説明するために示す図である。図６において、図中左側にユーザの手元にある電話６０１で行う処理が、図面上から下へ向かう時間軸に沿って示されており、図中右側に紛失した携帯電話６０２が、ユーザの手元にある電話６０１からのアクセスに応答する形で示されている。
【００７７】
図６において、まずユーザの手元にある電話６０１から、紛失した携帯電話にダイヤリングする（６０１ａ）。紛失した携帯電話６０２は、それに応答して何回目かのコールの後、留守番電話モードになる（６０２ａ）。
【００７８】
留守番電話モードになった紛失携帯電話６０２（あるいは留守番電話センター）は、アクセスしてきた電話６０１に対して、機能番号を選択のための入力を要求するメッセージを発する（６０２ｂ）。
【００７９】
ユーザは、電話６０１でそれを受けて、所望の機能を選択するための数字を入力する（６０１ｂ）。
【００８０】
紛失携帯電話６０２（あるいは留守番電話センター）は、それを受けてユーザが選択した機能を復唱し、さらに、暗証番号の入力要求を発する（６０２ｃ）。
【００８１】
ユーザは、電話６０１でそれを受けて、暗証番号を入力する（６０１ｃ）。  
紛失携帯電話６０２は、入力された暗証番号が間違いないものであるか否か判別して、正しい暗証番号が入力された場合、暗証番号が正しく入力されたので選択された機能に関する処理を実行する旨のメッセージを送り（６０２ｄ）、処理を実行する（６０２ｅ）。処理が終わったら終了（６０２ｆ）となる。
【００８２】
ユーザは、電話６０１で、メッセージを確認して（６０１ｄ）、受話器を置いて処理を終了する（６０１ｅ）。
【００８３】
選択された機能が、ＧＰＳ位置情報通知であった場合、ＧＰＳ部５１２からの位置情報を、予め設定されたアドレスにメールで通知する。また、メモリ５０９のデータ消去が選択された場合には、メモリ５０９のデータを消去する。また、それら機能を一度に全て実行させることも可能である。
【００８４】
以上説明したように、図５及び図６で説明した実施の形態によれば、携帯電話を紛失した際に、紛失した携帯電話の位置を知ることができるので、捜し出すことが可能となる。さらに全く身に覚えのない場所にあることが判明した場合には、盗難された可能性が高いので、メモリの内容を削除して情報が漏れるのを防ぐことができる。このように、紛失した携帯電話の位置に応じて、対応策を適切に講ずることができるため、効果的である。
【００８５】
以上のように本発明に係わる携帯通信装置によれば、ユーザが通常の通信のためのボタン操作ではない、所定の所為を行うことで、それを検出して携帯通信装置を緊急動作モードに切換えて、予め設定したアドレスにメッセージを継続的に繰り返し送信するように構成した。また、その所為も、１動作で実行でき、さらに１種類の所為に制限されず、複数種の所為のうちのどれを行っても緊急動作モードに変えることができるようになるため、不測の事態に陥った場合に素早く確実に緊急動作モードに切換えることができるようになるものである。
【００８６】
また、緊急動作モードで、ＧＰＳから取得した位置情報も一緒に送信することができるため、受けた側で素早い適切な措置を講ずることができるようになるものである。
【００８７】
また、人体の生物学的要素項目を監視して、異常と判定された際に、装置を緊急動作モードに切換えて、異常となった内容をメールで継続的に所定のアドレスに送信するように構成したため、実用的なシステムを構築することができるものである。
【００８８】
さらに、携帯通信装置を紛失した場合に、位置情報を取得できるため、素早く適切な対応をとることが可能であり、また、必要に応じてメモリ内容を削除できるようにしたので、他人に知られたくないデータの流出を防ぐことができる。
【００８９】
なお、本発明は以上説明した実施の形態に限定されるものではなく、趣旨を逸脱しない範囲で種々変形可能である。
【図面の簡単な説明】
【００９０】
【図１】この発明に係わる携帯通信装置の一実施の形態を示す回路ブロック図。
【図２】図１に示す携帯通信装置の動作を説明するためのフローチャート。
【図３】図１に示す携帯通信装置の動作を説明するために示すフローチャート。
【図４】この発明に係わる携帯通信システムの一実施の形態を示す回路ブロック図。
【図５】この発明に係わる携帯通信装置の実施の形態を示す回路ブロック図。
【図６】図５に示す携帯通信装置の動作を説明するために示す構成図。
【符号の説明】
【００９１】
１００，…携帯通信装置
１０１，４０３，５０１…筐体
１０２，４０４，５０２…アンテナ
１０３，４０５，５０３…操作入力部
１０４，４０６，５０４…表示部
１０５…衝撃センサー
１０６…衝撃度判別部
１０７，４１０，５０８…制御部
１０８，４０９，５０９…メモリ
１０９，５１２…ＧＰＳ部
１１０，４１１…発信部
１１１，４１２，５１３…バッテリ
１１２，４１３，５１５…電源制御部
１１３，５１４…補助バッテリ
１１４…一時記憶部
【図１】
2006279837.tif 000003
【図２】
2006279837.tif 000004
【図３】
2006279837.tif 000005
【図４】
2006279837.tif 000006
【図５】
2006279837.tif 000007
【図６】
2006279837.tif 000008